(57)【要約】      （修正有）【課題】２本のスタンドにより表示装置を支持し、表示装置の傾きを調整する。【解決手段】支持装置は、表示装置１を支持する２本のスタンド１０Ｌ、１０Ｒを備え、それぞれのスタンドは、表示装置に取り付けられる架台部と、架台部を介して表示装置を支持する脚部１２Ｌ，１２Ｒと、脚部の位置を調整する調整部１５と、脚部を固定する固定部と、を備え、架台部は水平方向に対して傾斜する傾斜面を備え、脚部は傾斜面に沿って移動可能に取り付けられ、調整部は傾斜面における脚部の位置を調整し、固定部は傾斜面において調整された位置に脚部を固定する、【選択図】図５
2020101598.tif 000002
【特許請求の範囲】
【請求項１】
表示装置の水平方向の２箇所をそれぞれ独立して支持する２本のスタンドを備え、
それぞれの前記スタンドは、
前記表示装置に取り付けられる架台部と、
前記架台部に取り付けられ、前記架台部を介して前記表示装置を支持する脚部と、
前記脚部の位置を調整する調整部と、
前記脚部を前記架台部に固定する固定部と、
を備え、
前記架台部は、水平方向に対して傾斜する傾斜面を備え、
前記脚部は、前記傾斜面に沿って移動可能に取り付けられ、
前記調整部は、前記傾斜面における前記脚部の位置を調整し、
前記固定部は、前記傾斜面において調整された位置に前記脚部を固定する、
支持装置。
【請求項２】
前記調整部は、
前記脚部を移動させる方向に前記架台部に設けられた調整用ねじ穴と、
前記調整用ねじ穴にねじ込まれて回転することにより、先端部が前記調整用ねじ穴から突出して前記脚部に力を加え、前記脚部を前記傾斜面に沿って移動させる調整用ねじと、
を備える請求項１に記載の支持装置。
【請求項３】
前記調整部は、前記調整用ねじが前記調整用ねじ穴にねじ込まれて回転することにより生じる推力により、前記脚部を前記傾斜面に沿って移動させる、
請求項２に記載の支持装置。
【請求項４】
前記固定部は、
前記架台部の前記傾斜面に設けられた固定用ねじ穴と、
前記固定用ねじ穴にねじ込まれる固定用ねじと、
前記脚部が前記傾斜面に沿って移動する際に、前記固定用ねじ穴にねじ込まれる前記固定用ねじが通る前記脚部の領域に設けられた長穴と、
を備え、
前記長穴を通して前記固定用ねじ穴に前記固定用ねじがねじ込まれ、前記傾斜面において調整された位置に前記脚部を固定する、
請求項１から請求項３のいずれか一項に記載の支持装置。
【請求項５】
前記固定用ねじは、頭部と、ねじ山を有するねじ部と、前記頭部と前記ねじ部の間に設けられた円筒部を備え、
前記円筒部は前記長穴を通り、前記ねじ山は前記固定用ねじ穴にねじ込まれ、前記頭部は前記脚部を固定する、
請求項４に記載の支持装置。
【請求項６】
前記固定部は、前記脚部を前記架台部に固定する際に、前記調整部により前記脚部の位置が調整されうる状態に仮固定し、
前記調整部は、仮固定された前記脚部の位置を調整する、
請求項１から請求項５のいずれか一項に記載の支持装置。
【請求項７】
前記固定部は、前記脚部との接触面において滑りを低減させる摩擦部を備え、
前記摩擦部は、仮固定された前記脚部が前記調整部により調整される以外に移動しないようにする、
請求項６に記載の支持装置。
【発明の詳細な説明】
【技術分野】
【０００１】
本発明は、表示装置を支持する支持装置に関する。
【背景技術】
【０００２】
テレビジョン受像機、ディスプレイ装置等の表示装置は、支持装置に支持された状態で設置面に設置される。
【０００３】
支持装置を構成する部品の個体差による寸法の誤差、または設置面の傾きにより、表示装置が傾いた状態で設置されることがある。近年の表示装置は、横と縦の比率が１６：９の横長のものが多い。このため、表示装置周囲の家具、壁面、または柱との比較で、表示装置の傾きが視認されやすい傾向にある。
【０００４】
支持装置に傾き調整ねじを設け、この傾き調整ねじを調整することにより、表示装置の傾きを調整する技術が提案されている（特許文献１参照）。
【先行技術文献】
【特許文献】
【０００５】
【特許文献１】特開２００７−３１０２５２号公報
【発明の概要】
【発明が解決しようとする課題】
【０００６】
以上の特許文献１に記載された調整技術は、表示装置に取り付けられた１本脚のスタンドにおいて、スタンドを表示装置に固定する際の固定用ねじを、傾き調整時の回転軸としている。このため、左右独立したスタンドで構成される支持装置において、以上の特許文献１に記載された調整技術によって表示装置の傾き調整を行うことはできない。
【０００７】
したがって、左右独立したスタンドにより表示装置を支持する支持装置において、左右のスタンドを構成する部品の寸法誤差または設置面の傾きによって生じることがある表示装置の傾きを調整可能にすることが求められる。
【０００８】
本発明は、上記のような課題を解決するためになされたものであり、左右独立したスタンドにより表示装置を支持し、表示装置の傾きを調整することが可能な支持装置を得ることを目的とする。
【課題を解決するための手段】
【０００９】
本発明における支持装置は、表示装置の水平方向の２箇所をそれぞれ独立して支持する２本のスタンドを備え、それぞれの前記スタンドは、前記表示装置に取り付けられる架台部と、前記架台部に取り付けられ、前記架台部を介して前記表示装置を支持する脚部と、前記脚部の位置を調整する調整部と、前記脚部を前記架台部に固定する固定部と、を備え、前記架台部は、水平方向に対して傾斜する傾斜面を備え、前記脚部は、前記傾斜面に沿って移動可能に取り付けられ、前記調整部は、前記傾斜面における前記脚部の位置を調整し、前記固定部は、前記傾斜面において調整された位置に前記脚部を固定するものである。
【発明の効果】
【００１０】
本発明の支持装置によれば、左右独立したスタンドにより表示装置を支持し、表示装置の傾きを調整することが可能になる。
【図面の簡単な説明】
【００１１】
【図１】本発明の実施の形態１における支持装置を表示装置と共に示す説明図である。
【図２】本発明の実施の形態１における支持装置の構成を示す分解図である。
【図３】本発明の実施の形態１における支持装置の構成を示す断面図である。
【図４】本発明の実施の形態１における支持装置を底面側から見た様子を示す説明図である。
【図５】本発明の実施の形態１における支持装置の調整前と調整後の様子を示す説明図である。
【発明を実施するための形態】
【００１２】
以下、本発明の支持装置１０の実施の形態につき、図面を用いて説明する。なお、各図において、同一部分には同一符号を付している。
【００１３】
実施の形態１．
はじめに、本発明の実施の形態１における支持装置１０と表示装置１との関係を図１を参照して説明する。図１は、本発明の実施の形態１における支持装置１０を表示装置１と共に示す説明図である。
【００１４】
表示装置１は、テレビジョン受像機又はディスプレイ装置等の表示装置である。表示装置１は、支持装置１０に支持され、自立した状態で設置される。なお、表示装置１は、プロジェクタ装置またはプロジェクタ用スクリーンであってもよい。
【００１５】
支持装置１０は、スタンド１０Ｌと、スタンド１０Ｒを備える。スタンド１０Ｌ及びスタンド１０Ｒは、表示装置１の水平方向の２箇所をそれぞれ独立して支持する。スタンド１０Ｌは、左側から表示装置１を支持する。スタンド１０Ｒは、右側から表示装置１を支持する。表示装置１を支持するとは、設置面２に対して一定の距離をあけた状態で安定した状態にすることを意味する。
【００１６】
スタンド１０Ｌは、架台部１１Ｌと、脚部１２Ｌを備える。スタンド１０Ｒは、架台部１１Ｒと、脚部１２Ｒを備える。架台部１１Ｌは、表示装置１の下部左側に取り付けられる。脚部１２Ｌは、架台部１１Ｌに取り付けられ、架台部１１Ｌを介して表示装置１の下部左側を支持する。架台部１１Ｒは、表示装置１の下部右側に取り付けられる。脚部１２Ｒは、架台部１１Ｒに取り付けられ、架台部１１Ｒを介して表示装置１の下部右側を支持する。なお、架台部１１Ｌ及び１１Ｒと表示装置１の取り付けは、既知の各種の取り付け手法が用いられる。
【００１７】
次に、支持装置１０の調整と固定に関する構成を、図２と図３と図４を参照しながら説明する。図２は、本発明の実施の形態１における支持装置１０の構成を示す分解図である。図３は、本発明の実施の形態１における支持装置１０の構成を示す断面図である。図４は、本発明の実施の形態１における支持装置１０を底面側から見た様子を示す説明図である。図２〜図４は、支持装置１０に含まれるスタンド１０Ｒの構成を示しているが、スタンド１０Ｌも同様な構成である。
【００１８】
架台部１１Ｒは、表示装置取り付け面１１ａと、傾斜面１１ｂと、穴部１１ｃと、調整用ねじ穴１１ｄと、固定用ねじ穴１１ｅを備える。
【００１９】
表示装置取り付け面１１ａは、架台部１１Ｒが表示装置１に取り付けられる際に、表示装置１と接触する面である。傾斜面１１ｂは、水平方向に対して傾斜し、脚部１２Ｒが移動可能に取り付けられる面である。穴部１１ｃは、調整用ねじ１５の頭部が収容される空間である。調整用ねじ穴１１ｄは、脚部１２Ｒを移動させる方向に、調整用ねじ１５がねじ込まれるように設けられたねじ穴である。固定用ねじ穴１１ｅは、傾斜面１１ｂの調整された位置に脚部１２Ｒを固定または仮固定する際に、固定用ねじ１３がねじ込まれるように設けられたねじ穴である。
【００２０】
脚部１２Ｒは、底面１２ａと、取り付け面１２ｂと、長穴１２ｃを備える。底面１２ａは、設置面２に対向する面である。取り付け面１２ｂは、脚部１２Ｒが架台部１１Ｒに取り付けられる際に、傾斜面１１ｂに接する面である。長穴１２ｃは、図４に示されるように、脚部１２Ｒが傾斜面１１ｂに沿って移動する際に、固定用ねじ穴１１ｅにねじ込まれる固定用ねじ１３の円筒部１３ｂが通る領域に設けられた穴である。
【００２１】
固定用ねじ１３は、図２に示されるように、ねじ部１３ａと、円筒部１３ｂと、頭部１３ｃを備える段付ねじである。ねじ部１３ａは、ねじ山を有する。ねじ部１３ａは、脚部１２Ｒを固定または仮固定する際に、ねじ山が固定用ねじ穴１１ｅにねじ込まれる。円筒部１３ｂは、脚部１２Ｒが傾斜面１１ｂに沿って移動する際に、長穴１２ｃを通る軸である。頭部１３ｃは、ねじ部１３ａが固定用ねじ穴１１ｅにねじ込まれることにより、脚部１２Ｒを固定または仮固定する。脚部１２Ｒの固定とは、脚部１２Ｒが固定用ねじ１３により締め付けられ動かない状態である。脚部１２Ｒの仮固定とは、脚部１２Ｒが固定用ねじ１３により締め付けられているが、後述する調整用ねじ１５の推進力が脚部１２Ｒに加えられると、脚部１２Ｒが傾斜面１１ｂに沿って移動可能な状態である。
【００２２】
スペーサ１４は、固定用ねじ１３の頭部と脚部１２Ｒとの接触面において滑りを低減させる摩擦部である。スペーサ１４は、脚部１２Ｒが架台部１１Ｒに仮固定された状態で、調整用ねじ１５によって調整されることにより、脚部１２Ｒが傾斜面１１ｂに沿って移動することを可能にする。スペーサ１４は、脚部１２Ｒが架台部１１Ｒに仮固定された状態で、調整用ねじ１５によって調整される以外に移動しないようにする。スペーサ１４は、固定用ねじ１３の頭部と脚部１２Ｒとの接触面において滑りを低減させる素材であればよく、例えばゴムにより構成される。
【００２３】
調整用ねじ１５は、調整用ねじ穴１１ｄにねじ込まれて回転することにより生じる推力により、図３（ａ）と（ｂ）、及び図４（ａ）と（ｂ）に示されるように、脚部１２Ｒを傾斜面１１ｂに沿って移動させる。
【００２４】
インシュレータ１６は、脚部１２Ｒの底面１２ａに設けられ、設置面２と接触する。インシュレータ１６は、スタンド１０Ｒが表示装置１を支持する際に、設置面２との間で振動吸収体または滑り止め部材として作用する。
【００２５】
以上の構成において、調整用ねじ１５は、調整部を構成する。調整部は、調整用ねじ１５が調整用ねじ穴１１ｄにねじ込まれて回転することにより生じる推力により、脚部１２Ｒを傾斜面１１ｂに沿って移動させる。
【００２６】
以上の構成において、固定用ねじ１３は、固定部を構成する。固定部は、長穴１２ｃを通して固定用ねじ穴１１ｅに固定用ねじ１３がねじ込まれることにより、傾斜面１１ｂにおいて調整された位置に脚部１２Ｒを固定または仮固定する。
【００２７】
スタンド１０Ｒの構成は以上の通りであるが、支持装置１０に含まれるスタンド１０Ｌも同様な構成である。そして、スタンド１０Ｒとスタンド１０Ｌにおいて、それぞれ独立して脚部１２Ｒと脚部１２Ｌの位置が調整される。
【００２８】
次に、左右独立したスタンド１０Ｒ及び１０Ｌにより表示装置１を支持し、スタンド１０Ｒ及び１０Ｌを構成する部品の寸法誤差または設置面の傾きによって生じる表示装置１の傾きを調整する様子を、図３及び図４を参照しながら説明する。図３は、本発明の実施の形態１における支持装置１０の構成を示す断面図である。図４は、本発明の実施の形態１における支持装置１０を底面側から見た様子を示す説明図である。
【００２９】
スタンド１０Ｒ及び１０Ｌを構成する部品の寸法誤差または設置面の傾きによって、表示装置１に傾きが生じていることが視認されると、以下のように調整が実行される。
【００３０】
まず、脚部１２Ｒは、調整用ねじ１５の推進力が脚部１２Ｒに加えられると傾斜面１１ｂに沿って移動可能なように、固定用ねじ１３により架台部１１Ｒに対して仮固定される。同様に、脚部１２Ｌは、架台部１１Ｌに対して仮固定される。
【００３１】
以下、表示装置１の傾きを解消するために、スタンド１０Ｒの高さを下げる調整を具体例にして、以下に説明する。スタンド１０Ｒの高さを下げる調整は、図３（ａ）及び図４（ａ）の状態から図３（ｂ）及び図４（ｂ）の状態になるように、調整ねじ１５の先端が調整用ねじ穴１１ｄから突出するように、調整ねじ１５が調整用ねじ穴１１ｄにねじ込まれる。
【００３２】
調整用ねじ１５は、調整用ねじ穴１１ｄにねじ込まれて回転することにより、先端部が調整用ねじ穴１１ｄから突出して脚部１２Ｒの側面に接触する。調整用ねじ１５は、調整用ねじ穴１１ｄにねじ込まれて回転することにより、先端部が脚部１２Ｒを移動させる方向に、脚部１２Ｒに力を加える。すなわち、調整用ねじ１５は、回転することにより生じる推力により、脚部１２Ｒを傾斜面１１ｂに沿って移動させ、傾斜面１１ｂにおける脚部１２Ｒの位置を調整する。脚部１２Ｒは傾斜面１１ｂに沿って位置が変化するため、スタンド１０Ｒの高さが変化する。
【００３３】
調整前の図３（ａ）と調整後の図３（ｂ）を比較すると、調整後は調整前よりもスタンド１０ＲがΔｈ低くなっている。図３（ａ）と（ｂ）は説明のために表示装置１の高さを揃えた状態を示している。実際には、設置面２の脚部１２Ｒの底面１２ａとインシュレータ１６の高さが揃っていて、調整後に、表示装置１の高さが低くなる。必要に応じて、同様の調整が、スタンド１０Ｌにおいても実行される。
【００３４】
このようにスタンド１０Ｒ及び１０Ｌにおいて脚部１２Ｒ及び１２Ｌの位置が独立して調整されることにより、スタンド１０Ｒ及び１０Ｌのそれぞれの高さが変化し、表示装置１の傾きが解消される。以上の調整は、スタンド１０Ｒとスタンド１０Ｌの両方で実行してもよいし、スタンド１０Ｒとスタンド１０Ｌのいずれか一方のみで実行してもよい。
【００３５】
調整用ねじ１５によって仮固定状態の脚部１２Ｒの位置が調整が完了すると、固定用ねじ１３が固定用ねじ穴１１ｅに更にねじ込まれる。すなわち、脚部１２Ｒは仮固定状態から通常の固定状態に移行する。これにより、スタンド１０Ｒの調整と固定が完了する。必要に応じて、同様の調整と固定が、スタンド１０Ｌにおいても実行される。
【００３６】
次に、表示装置１の傾きを調整する前後の様子を、図５参照しながら説明する。図５は、本発明の実施の形態１における支持装置１０の調整前と調整後の様子を示す説明図である。
【００３７】
表示装置１は、当初は図５の破線により示される状態である。図５の破線の状態は、左が高くなった状態で設置されている。そこで、表示装置１の左側を支持するスタンド１０Ｌは、脚部１２Ｌが仮固定状態において、調整ねじ１５の推力によって脚部１２ＬがＡ方向に移動するように調整される。表示装置１は、スタンド１０Ｌの高さが減少することにより、図５中のＢ方向に傾く。この状態で、スタンド１０Ｌは、脚部１２Ｌが仮固定状態から通常の固定状態にされる。この結果、表示装置１は、左が高くなった図５破線の状態が解消され、図５実線により示されるように水平状態で設置される。
【００３８】
以上の調整が繰り返されることにより、スタンド１０Ｒまたは１０Ｌの少なくとも一方において、調整用ねじ１５が最も奥までねじ込まれ、それ以上の調整範囲がなくなることがある。その場合、スタンド１０Ｒ及び１０Ｌの両方において次の初期設定が実行される。調整ねじ１５は、先端が調整用ねじ穴１１ｄから突出しないように緩められる。脚部１２Ｒは、右寄せの状態にして架台部１１Ｌに対して仮固定される。脚部１２Ｌは、左寄せの状態にして架台部１１Ｒに対して仮固定される。これにより、調整用ねじ１５の調整範囲が最大になり、上述した調整を行うことが可能になる。
【００３９】
以上の支持装置１０の説明は、調整の原理を示したものであり、各種の変形が可能である。例えば、脚部１２Ｒ及び１２Ｌは、それぞれの底面が更に広く構成されることで、表示装置１を更に安定した状態に支持することが可能になる。架台部１１Ｒ及び１１Ｌは、傾斜面１１ｂの傾きの方向が異なる向きに構成されることで、調整ねじ１５の推力により脚部１２Ｒ及び１２Ｌを高くする方向に調整することが可能になる。
【００４０】
以上の支持装置１０は、設置面２の左右に段差がある場合であっても、表示装置１の傾きを解消することが可能になる。
【００４１】
以上、本実施の形態１によれば、支持装置１０は、表示装置１の水平方向の２箇所をそれぞれ独立して支持する２本のスタンド１０Ｒ及び１０Ｌを備えて構成される。それぞれのスタンド１０Ｒ及び１０Ｌは、表示装置１に取り付けられる架台部１１Ｒ及び１１Ｌと、架台部１１Ｒ及び１１Ｌに取り付けられ、架台部１１Ｒ及び１１Ｌを介して表示装置１を支持する脚部１２Ｒ及び１２Ｌと、脚部１２Ｒ及び１２Ｌの位置を調整する調整用ねじ１５を有する調整部と、脚部１２Ｒ及び１２Ｌを架台部１１Ｒ及び１１Ｌに固定する固定用ねじ１３を有する固定部とを備えて構成される。架台部１１Ｒ及び１１Ｌは、水平方向に対して傾斜する傾斜面１１ｂを備えて構成されている。脚部１２Ｒ及び１２Ｌは、傾斜面１１ｂに沿って移動可能に取り付けられて構成されている。調整用ねじ１５を有する調整部は、傾斜面１１ｂにおける脚部１２Ｒ及び１２Ｌの位置を調整するよう構成されている。固定用ねじ１３を有する固定部は、傾斜面１１ｂにおいて調整された位置に脚部１２Ｒ及び１２Ｌを固定するよう構成されている。
【００４２】
これにより、左右独立したスタンド１０Ｒ及び１０Ｌにより表示装置１を支持し、表示装置１の傾きを調整することが可能になる。
【符号の説明】
【００４３】
１  表示装置、１０  支持装置、１０Ｌ  スタンド、１０Ｒ  スタンド、１１Ｌ  架台部、１１Ｒ  架台部、１１ａ  表示装置取り付け面、１１ｂ  傾斜面、１１ｃ  穴部、１１ｄ  調整用ねじ穴、１１ｅ  固定用ねじ穴、１２Ｌ  脚部、１２Ｒ  脚部、１２ａ  底面、１２ｂ  取り付け面、１２ｃ  長穴、１３  固定用ねじ、１３ａ  ねじ部、１３ｂ  円筒部、１３ｃ  頭部、１４  スペーサ、１５  調整用ねじ、１６  インシュレータ。
【図１】
2020101598.tif 000003
【図２】
2020101598.tif 000004
【図３】
2020101598.tif 000005
【図４】
2020101598.tif 000006
【図５】
2020101598.tif 000007